(57)【要約】【課題】耐湿性、耐擦傷性に優れ、また収納ケースに収納保管した場合に、表示部に表示されているレンズ関連情報を上方から容易に確認することができるレンズ用包装袋を提供する。【解決手段】四種類のウエブ状材料をラミネート加工して形成した複合フィルムによってレンズ２を収納する包装袋１を形成する。レンズ包装袋１は、一辺１ａを複合フィルムの折り返しによって形成した折り返し部とし、残り三辺を熱圧着によって封止する部分とし、折り返し部を上側とし、表面上部にレンズ関連情報が印刷表示される表示部３とする。複合フイルムは、内面側から一層目の熱可塑性樹脂材料からなる内部保護層と、二層目の金属箔層と、三層目の熱可塑性樹脂材料からなる内部層と、四層目の熱硬化性樹脂材料からなる外部保護層とで形成されている。【選択図】  図３
2006176181.tif 000002
【特許請求の範囲】
【請求項１】
二種以上のウエブ状材料をラミネート加工して形成した複合フィルムからなるレンズ用包装袋において、
少なくとも一辺を前記複合フィルムの折り返しによって形成した折り返し部とし、前記折り返し部付近の表面にレンズ関連情報を表示したことを特徴とするレンズ用包装袋。
【請求項２】
前記包装袋を、内面側から一層目の熱可塑性樹脂材料からなる内部保護層と、二層目の金属箔層と、三層目の熱可塑性樹脂材料からなる内部層と、四層目の熱硬化性樹脂材料からなる外部保護層とで形成したことを特徴とする請求項１記載のレンズ用包装袋。
【請求項３】
前記内部保護層と内部層をポリエチレン系樹脂によって形成し、金属層をアルミニウム箔によって形成し、外部保護層をポリエステル系樹脂によって形成したことを特徴とする請求項２記載のレンズ用包装袋。
【請求項４】
前記レンズ関連情報が表示されている折り返し部側辺を上方にして収納ケース内に収納されることを特徴とする請求項１，２または３記載のレンズ用包装袋。
【発明の詳細な説明】
【技術分野】
【０００１】
本発明は、レンズ用包装袋に関するものである。
【背景技術】
【０００２】
眼鏡用のプラスチック製レンズは、レンズ単体で市場に流通している。このようなプラスチック製レンズは、ガラス製レンズに比べて表面硬度が小さいため、摩擦によって光学面に傷がつき易い。また、高分子材料であるプラスチック製レンズは、空気中の水分と反応して形状変化を起こし易い。したがって、一般にプラスチック製レンズを保管したり販売店に搬送するときには、紙製、プラスチック発泡体、ラミネート加工されたプラスチックフィルム等からなる包装袋に収納して密閉し、傷の発生、外気、特に湿気による劣化、カビの発生等を防止している。包装袋としては、一辺が開放する四角形の袋状に形成し、レンズを収納した後開口部を熱圧着によって封止するようにしたものが最も一般的である（例えば、特許文献１〜３参照）。
【０００３】
前記特許文献１に記載されているものは、低い湿度伝達速度を有する５層構造のバリア材料によってレンズウエハを収納するバリアパッケージを形成したものである。多層バリア材料は、ナイロンまたはポリエチレンテレフタレートからなる外部保護層と、ポリエチレン樹脂からなる第１の層と、アルミニウム箔層と、ポリエチレン樹脂からなる第２の層と、イオノマーまたは低密度ポリエチレン樹脂からなる内部層との５層構造を有している。
【０００４】
前記特許文献２に記載されているものは、外気を遮断するフィルムによってレンズパッケージを形成したものである。パッケージ材料としては、ナイロンとＰＥＴ（ポリエチレンテレフタレート）とポリエチレンのラミネートフィルムや、ポリ塩化ビニリデン（ＰＶＤ）や、アルミニウムを蒸着したＰＥＴフィルムとナイロンとを積層したラミネートフィルムや、アルミニウムとポリエチレンとＰＥＴとを積層したラミネートフィルムや、ＰＶＤを含浸した和紙等を用いている。
【０００５】
前記特許文献３に記載されているものは、外気を遮断するフィルム製の包装袋によってウレタン樹脂レンズを収納するようにしたものである。パッケージ材料としては、前記特許文献２に記載されているパッケージと同様にナイロンとＰＥＴとポリエチレンのラミネートフィルムや、アルミニウムを蒸着したＰＥＴフィルムとナイロンとを積層したラミネートフィルムや、アルミニウムとポリエチレンとＰＥＴとを積層したラミネートフィルムや、ＰＶＤを含浸した和紙等を用いている。
【０００６】
この他、開口部に開閉自在なファスナーを設けた包装袋や、レンズを挟んで２枚のフィルムを重ね合わせ、両フィルムの四辺を熱圧着によって封止することにより形成された包装袋も知られている（例えば、特許文献４参照）。
【０００７】
【特許文献１】特表平９−５０９９１３号公報
【特許文献２】特開平０２−９８５５９号公報
【特許文献３】特開平０２−１０９８６９号公報
【特許文献４】実開平５−６８８０３号公報
【発明の開示】
【発明が解決しようとする課題】
【０００８】
プラスチック製のレンズを収納するレンズ用包装袋としては、高い耐湿性が要求されるため、袋の４辺全てを封止する必要がある。このため、開口部からレンズを包装袋に収納した後、開口部を熱圧着によって封止している。そして、包装袋に収納されたレンズを保管する場合は、包装袋を横にして積み重ねると、自重によってレンズ表面に傷がついたり破損するおそれがあることから、所定の大きさの収納ケース内に略垂直に立てた状態で収納している。
【０００９】
しかしながら、前記特許文献１に記載されたバリヤパッケージは、５層構造のラミネートフィルムによって形成しているため、フィルム数および製造工数が多くパッケージの製造コストが高くなるばかりか、厚さが厚くなって重くなるという欠点があった。
【００１０】
前記特許文献２，３に記載されているものは、ラミネート加工された３層以下の積層フィルムによってレンズ用パッケージを形成しているため、耐湿性、耐擦傷性等が低く、レンズの保存性能が不十分であるという問題があった。
【００１１】
開口部を開閉自在なファスナーで封止する包装袋は、開口部の完全な気密性を保持することができず、耐湿性に欠けるという問題があった。
【００１２】
前記特許文献４に記載された包装袋は、２枚のフィルムを重ね合わせてその間にレンズを収納し、４辺全てを熱圧着によって接合して形成しているため、各辺における膨らみが少ない。このため、収納ケースに上辺を上にして略直立した状態で収納した場合、パッケージの表面に印刷表示されているレンズ関連情報を上方から視認し難く、収納ケースから所望のレンズを取り出すときには、包装袋を一袋ずつ摘んで持ち上げて表示部に表示されているレンズ関連情報を確認する必要があった。しかしながら、このような確認作業は通常作業者が手作業で行なっているため、作業者の負担が大きく作業時間がかかり過ぎるという問題があった。
【００１３】
本発明は上記した従来の問題を解決するためになされたものであり、その目的とするところは、耐湿性、耐擦傷性に優れ、また収納ケースに収納保管した場合に、表示部に表示されているレンズ関連情報を上方から容易に視認することができるレンズ用包装袋を提供することにある。
【課題を解決するための手段】
【００１４】
上記目的を達成するために第１の発明は、二種以上のウエブ状材料をラミネート加工して形成した複合フィルムからなるレンズ用包装袋において、少なくとも一辺を前記複合フィルムの折り返しによって形成した折り返し部とし、前記折り返し部付近の表面にレンズ関連情報を表示したものである。
【００１５】
第２の発明は、前記包装袋を、内面側から一層目の熱可塑性樹脂材料からなる内部保護層と、二層目の金属箔層と、三層目の熱可塑性樹脂材料からなる内部層と、四層目の熱硬化性樹脂材料からなる外部保護層とで形成したものである。
【００１６】
第３の発明は、前記内部保護層と内部層をポリエチレン系樹脂によって形成し、金属箔層をアルミニウム箔によって形成し、外部保護層をポリエステル系樹脂によって形成したものである。
【００１７】
第４の発明は、レンズ関連情報が表示されている折り返し部側辺を上方にして収納ケース内に収納されるものである。
【発明の効果】
【００１８】
本発明においては、包装袋の折り返し部が復元力によって膨らみ丸みを帯びる。一方、熱圧着により封止された辺は復元力がないため膨らみが生じない。このような包装袋を収納ケース内に折り返し部側辺を上にして収納した場合、折り返し部側の辺付近の表面に表示されているレンズ関連情報を上方、斜め上方または横から容易に視認することができる。
また、本発明においては、複合フィルムを樹脂層と金属箔層とを含む４層構造としているので、耐湿性、耐擦傷性に優れ、良好なレンズ保存性能を得ることができる。
特に、内部保護層は金属箔層によって保護されているのでレンズの光学面が傷つくのを防止できる。また、内部保護層は、防湿性が高いポリエチレン系樹脂によって形成されているため、レンズがプラスチック製の場合に空気中の水分と反応して形状変化を起こすことが防止する。また、内部保護層は熱可塑性樹脂であるため、包装袋のヒートシールを可能にする。金属箔層は、包装袋内を外部環境から隔離した温度、湿度環境に維持し、包装袋のレンズ保存性能をより一層高める。外部保護層は内層を保護する。
【発明を実施するための最良の形態】
【００１９】
以下、本発明を図面に示す実施の形態に基づいて詳細に説明する。
図１は本発明に係るレンズ用包装袋のレンズを収納する直前の状態を示す外観斜視図、図２は同包装袋のレンズを収納した状態を示す外観斜視図、図３は同包装袋にレンズを収納した状態を示す断面図、図４は複合フィルムの要部の拡大断面図、図５は同包装袋を収納ケースに収納した状態を示す外観斜視図である。これらの図において、１はレンズ用包装袋（以下、包装袋という）、２は包装袋１に収納されるプラスチック製の眼鏡レンズ（以下、レンズという）である。
【００２０】
前記包装袋１は、レンズ２を収納するために必要な十分な大きさ（例えば横１０．５ｍｍ×縦１１．５ｍｍ）を有する表面側フィルム１Ａと裏面側フィルム１Ｂによって形成された長方形の袋からなり、上辺１ａおよび左右両側辺１ｂ，１ｃの三辺が封止され、下辺１ｄが開放している。表面側フィルム１Ａの表面上部は、レンズ関連情報を表示する表示部３を形成しており、例えばレンズ２の商標、レンズ種、処方値、管理のためのバーコード等が印刷表示されている。
【００２１】
包装袋１の材質としては、レンズ２を空気中の水分から保護するために樹脂と金属からなる四種類のウエブ状材料をラミネート加工して形成した厚さが０．２ｍｍ程度の複合フィルム４が用いられる。
【００２２】
図４において、前記複合フィルム４は、包装袋１の内側から一層目の熱可遡性樹脂材料からなる内部保護層５Ａと、二層目の金属箔層５Ｂと、三層目の熱可塑性樹脂材料からなる内部層５Ｃと、四層目の熱硬化性樹脂材料からなる外部保護層５Ｄを順次ラミネートすることにより形成されている。一層目の内部保護層５Ａは、平滑性および高い防湿性を有するものであることが要求される。このため、内部保護層５Ａとしては、例えば、内部がポリエチレンで、その外側をポリエチレンテレフタレートとするポリエチレン系樹脂からなるラミネートフィルム（好ましくは、厚さ約３０〜５０μｍ）が用いられる。ポリエチレン系樹脂は防湿性が高いため、レンズ２がプラスチック製の場合に空気中の水分と反応して形状変化を起こすことを防止する。また、一層目は熱可塑性樹脂であるため、下辺１ｄの開口部６を熱圧着によって封止することが可能である。二層目の金属箔層５Ｂとしては、アルミニウム箔（好ましくは、厚さ約７μｍ）が用いられる。三層目の内部層５Ｃとしては、内部保護層５Ａと同様に防湿性の高いポリエチレン系樹脂（好ましくは、厚さ約１５μｍ）が用いられる。内層を保護する四層目の熱硬化性樹脂からなる外部保護層５Ｄとしては、ポリエステル系樹脂（好ましくは、厚さ約１２μｍ）が用いられる。
【００２３】
前記複合フィルム４によって包装袋１の製作は、細長いシート状に形成した複合フィルム４を、外部保護層５Ｄが外面となるように幅方向に２つに折り畳み、長手方向に所定の間隔で熱圧着して圧着部分を切断分離することにより行うことができる。このため、包装袋１の表面側フィルム１Ａと裏面側フィルム１Ｂとは１枚の複合フィルム４によって形成されている。また、包装袋１の上辺１ａは、折り返し部を形成しており、左右両側辺１ｂ，１ｃは熱圧着部を形成している。また、下辺１ｄはレンズ２を包装袋１に収納した後、熱圧着装置によって熱圧着され封止されることにより熱圧着部となる。そして、包装袋１は、レンズ２を収納し開口部６が封止された後、図５に示す収納ケース１０内に折り返し部である上辺１ａ側を上にして略直立した状態で収納される。
【００２４】
前記収納ケース１０は、包装袋１の高さと略等しいか若干低い高さを有する上方が開放した横長矩形の箱体によって形成されレンズ２を４列に収納する。
【００２５】
このように本発明に係るレンズ用包装袋１は、内部保護層５Ａを金属箔層５Ｂによって保護しているので、レンズ２の光学面が傷つくのを防止することができる。また、内部保護層５Ａは、防湿性が高いポリエチレン系樹脂によって形成されているため、レンズ２がプラスチック製の場合に湿気によって変形するのを防止することができ、耐湿性、耐擦傷性に優れた袋を提供することができる。
【００２６】
また、本発明においては、樹脂層５Ａ，５Ｃ，５Ｄと金属箔層５Ｂとをラミネートした四層構造の複合フィルム４を用いているので、三層構造の袋に比べてレンズ保存性能に優れ、五層構造の袋に比べて安価で軽量化することができる。
【００２７】
また、包装袋１は収納ケース１０内に略直立した状態で収納されるので、水平に重ねて収納する場合に比べてより多くのレンズ２を収納することができる。また、重ねて収納した場合は、レンズ２自体の重量によって破損したり、レンズ表面に傷が付き易いが、直立した状態で収納すると他のレンズの重量が負荷とならず、破損や擦傷の発生を防止することができる。
【００２８】
また、本発明においては、包装袋１の表面上部の表示部３に表示されているレンズ関連情報の視認も容易である。すなわち、レンズ２を包装袋１に収納すると、包装袋１は図３に示すようにレンズ２の厚さによって中央部が膨らむ。また、包装袋１の上辺１ａ側は複合フィルム４の折り返し部分であるため、フィルム自体の復元力によって膨らみ、厚さが左右両側辺１ｂ，１ｃや下辺１ｄに比べて厚くなる。このため、包装袋１を収納ケース１０に上辺１ａを上にして略垂直に収納すると、包装袋１の表面上部のレンズ関連情報が印刷表示されている表示部３は、前下がりに傾き、前後に隣り合う包装袋間にＶ字状の隙間１１が生じる。したがって、包装袋１を手で摘んで持ち上げなくても表示部３に表示されているレンズ関連情報を上方、斜め上方または横から容易に視認することができる。なお、下辺１ｄ側においてもレンズ２を収納すると表面側が膨らむが、下辺１ｄ側は熱圧着されているため、フィルムの復元力による膨らみは生じない。このため、下辺１ｄ側の表面の垂直線に対する傾斜角度βは、上辺１ａ側の表面の垂直線に対する傾斜角度αより小さく、下辺１ｄ側を上にして収納ケース１０に収納した場合は、表示部３の視認性が上辺１ｄ側を上にして収納した場合に比べて低い。
【００２９】
なお、上記した実施の形態においては、複合フィルム４を２つに折って形成することにより、一辺１ａを折り返し部とし、他の二辺１ｂ，１ｃを熱圧着し、残り一辺１ｄが開口した包装袋１を用いた例について説明したが、本発明はこれに何ら限定されるものではなく、筒状に形成した包装袋を用いた場合は、対向する二辺を折り返し部としてそのうちの一辺を上辺、他辺を下辺とし、残りの二辺を熱圧着される左右両側辺とすればよい。
【産業上の利用可能性】
【００３０】
本発明は、内容物としてプラスチック製の眼鏡レンズ２を収納する包装袋１に適用した場合について説明したが、これに限らず眼鏡レンズ以外の光学レンズを収納する包装袋にも適用することができる。
【図面の簡単な説明】
【００３１】
【図１】本発明に係るレンズ用包装袋のレンズを収納する直前の状態を示す外観斜視図である。
【図２】同レンズ用包装袋のレンズを収納した状態を示す外観斜視図である。
【図３】同包装袋にレンズを収納した状態を示す断面図である。
【図４】複合フィルムの要部の拡大断面図である。
【図５】同包装袋を収納ケースに収納した状態を示す外観斜視図である。
【符号の説明】
【００３２】
１…包装袋、１Ａ…表面側フィルム、１Ｂ…裏面側フィルム、１ａ…上辺、１ｂ…左辺、１ｃ…右辺、１ｄ…下辺、２…レンズ、３…表示部、４…複合フィルム、５Ａ…内部保護層、５Ｂ…金属箔層、５Ｃ…内部層、５Ｄ…外部保護層、１１…収納ケース。
【図１】
2006176181.tif 000003
【図２】
2006176181.tif 000004
【図３】
2006176181.tif 000005
【図４】
2006176181.tif 000006
【図５】
2006176181.tif 000007